【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
エレクトロクロミック材料を含むエレクトロクロミック層が一対の電極間に配置されているエレクトロクロミック素子に対して、連続した駆動パルスを印加し、前記駆動パルスのデューティ比によって前記エレクトロクロミック素子の吸光度を変化させる駆動装置であって、
前記駆動パルスは、駆動電圧の印加期間と休止期間とを１周期とし、前記駆動電圧は、前記エレクトロクロミック材料の酸化反応と還元反応の少なくとも一方が生じる電圧であり、前記休止期間は、前記エレクトロクロミック素子を含む閉回路中に前記印加期間で接続される抵抗よりも大きな抵抗を直列に接続する期間であり、前記デューティ比は、前記１周期に占める前記印加期間の割合であり、
前記エレクトロクロミック素子の吸光度を目標の吸光度まで増加させる際に、該目標の吸光度を保持するデューティ比Ｄ１で駆動する通常駆動の前に、前記デューティ比Ｄ１よりも大きなデューティ比Ｄ２で駆動する加速駆動を行うことを特徴とする駆動装置。
【請求項２】
前記駆動電圧は、一定電圧であることを特徴とする請求項１に記載の駆動装置。
【請求項３】
前記エレクトロクロミック素子の吸光度を前記目標の吸光度まで増加させるための吸光度変化量をΔＱm、前記吸光度変化量ΔＱmに必要とする前記加速駆動の期間をＴm、前記吸光度変化量ΔＱmとは異なる前記エレクトロクロミック素子の吸光度変化量をΔＱn、前記吸光度変化量ΔＱnに必要とする前記加速駆動の期間をＴnとすると、下記式（ａ）を満たすことを特徴とする請求項１または２に記載の駆動装置。
【数１】
2016038583.tif 000001
【請求項４】
下記式（ｂ）を満たすことを特徴とする請求項３に記載の駆動装置。
【数２】
2016038583.tif 000002
【請求項５】
前記加速駆動時の時間ｔと吸光度の変化（ΔＱ）の自乗の関係から一次近似された直線の傾きである（ΔＱ）2／ｔから得られる、前記エレクトロクロミック素子の吸光度を前記目標の吸光度まで増加させるための吸光度の変化分に対応する時間をｔ1、前記加速駆動の期間をｔAとすると、ｔA≦ｔ1を満たすことを特徴とする請求項１乃至４のいずれか一項に記載の駆動装置。
【請求項６】
ｔA＜ｔ1を満たすことを特徴とする請求項５に記載の駆動装置。
【請求項７】
前記デューティ比Ｄ２は１００％であることを特徴とする請求項１乃至６のいずれか一項に記載の駆動装置。
【請求項８】
前記エレクトロクロミック素子の吸光度を目標の吸光度まで減少させる際に、該目標の吸光度を保持するデューティ比Ｄ３で駆動する通常駆動の前に、前記デューティ比Ｄ３よりも小さなデューティ比Ｄ４で駆動する加速駆動を行うことを特徴とする請求項１乃至７のいずれか一項に記載の駆動装置。
【請求項９】
前記デューティ比Ｄ４は０％であることを特徴とする請求項８記載の駆動装置。
【請求項１０】
前記エレクトロクロミック材料は、有機エレクトロクロミック化合物を含むことを特徴とする請求項１乃至９のいずれか一項に記載の駆動装置。
【請求項１１】
前記有機エレクトロクロミック化合物は、下記一般式［１］で表わされることを特徴とする請求項１０に記載の駆動装置。
【化１】
2016038583.tif 000003
（式中、Ｂ、Ｂ’、ＣおよびＣ’は、炭素原子数１以上２０以下のアルキル基、炭素原子数１以上２０以下のアルコキシ基、置換基を有していてもよいアリール基からそれぞれ独立に選ばれる。
Ｒ1は水素原子、または置換基を表す。
ｎは１から５で表わされる整数である。
Ｘは下記一般式［２］または［３］で表わされる構造であり、ｎが２以上の場合、Ｘは下記構造よりそれぞれ独立に選ばれる。
【化２】
2016038583.tif 000004
式中、Ｒ2およびＲ3は、水素原子、炭素原子数１以上２０以下のアルキル基、炭素原子数１以上２０以下のアルコキシ基、置換基を有していてもよいアリール基、炭素原子数１以上２０以下アルキルエステル基からそれぞれ独立に選ばれる。Ｒ4は、炭素原子数１以上２０以下のアルキレン基である。
また、一般式［１］中におけるＢ、Ｂ’、ＣおよびＣ’を有する芳香環に隣接したチオフェン環が一般式［２］で表わされる場合、Ｒ2およびＲ3は水素原子以外の置換基である。）
【請求項１２】
前記エレクトロクロミック材料は、前記デューティ比を０％にする又は前記エレクトロクロミック材料の酸化反応と還元反応が生じる電圧より小さい電圧を印加すると、消色状態になることを特徴とする請求項１乃至１１のいずれか一項に記載の駆動装置。
【請求項１３】
エレクトロクロミック素子と、前記エレクトロクロミック素子を駆動する請求項１乃至１２のいずれか一項に記載の駆動装置と、を有することを特徴とするエレクトロクロミック装置。
【請求項１４】
エレクトロクロミック素子と、前記エレクトロクロミック素子を駆動する請求項１乃至１２のいずれか一項に記載の駆動装置を有することを特徴とする光学フィルタ。
【請求項１５】
請求項１４に記載の光学フィルタと、前記光学フィルタを通過した光を受光する受光素子とを有することを特徴とする撮像装置。
【請求項１６】
請求項１４に記載の光学フィルタと、複数のレンズを有する光学系とを有することを特徴とするレンズユニット。
【請求項１７】
エレクトロクロミック素子と、前記エレクトロクロミック素子を駆動する請求項１乃至１２のいずれか一項に記載の駆動装置を有することを特徴とする窓材。
【請求項１８】
エレクトロクロミック材料を含むエレクトロクロミック層が一対の電極間に配置されているエレクトロクロミック素子に対して、連続した駆動パルスを印加し、前記駆動パルスのデューティ比によって前記エレクトロクロミック素子の吸光度を変化させる駆動方法であって、
前記駆動パルスは、駆動電圧の印加期間と休止期間とを１周期とし、前記駆動電圧は、前記エレクトロクロミック材料の酸化反応と還元反応の少なくとも一方が生じる電圧であり、前記休止期間は、前記エレクトロクロミック素子を含む閉回路中に前記印加期間で接続される抵抗よりも大きな抵抗を直列に接続する期間であり、前記デューティ比は、前記１周期に占める前記印加期間の割合であり、
前記エレクトロクロミック素子の吸光度を目標の吸光度まで増加させる際に、該目標の吸光度を保持するデューティ比Ｄ１で駆動する通常駆動の前に、前記デューティ比Ｄ１よりも大きなデューティ比Ｄ２で駆動する加速駆動を行うことを特徴とする駆動方法。
【請求項１９】
前記駆動電圧が一定電圧であることを特徴とする請求項１８に記載の駆動方法。
【請求項２０】
前記エレクトロクロミック素子の吸光度を前記目標の吸光度まで増加させるための吸光度変化量をΔＱm、前記吸光度変化量ΔＱmに必要とする前記加速駆動の期間をＴm、前記吸光度変化量ΔＱmとは異なる前記エレクトロクロミック素子の吸光度変化量をΔＱn、前記吸光度変化量ΔＱnに必要とする前記加速駆動の期間をＴnとすると、下記式（ａ）を満たすことを特徴とする請求項１８または１９に記載の駆動方法。
【数３】
2016038583.tif 000005
【請求項２１】
前記加速駆動時の時間ｔと吸光度の変化（ΔＱ）の自乗の関係から一次近似された直線の傾きである（ΔＱ）2／ｔから得られる、前記エレクトロクロミック素子の吸光度を前記目標の吸光度まで増加させるための吸光度の変化分に対応する時間をｔ1、前記加速駆動の期間をｔAとすると、ｔA≦ｔ1を満たすことを特徴とする請求項１８乃至２０のいずれか一項に記載の駆動方法。
【請求項２２】
前記エレクトロクロミック素子の吸光度を目標の吸光度まで減少させる際に、該目標の吸光度を保持するデューティ比Ｄ３で駆動する通常駆動の前に、前記デューティ比Ｄ３よりも小さなデューティ比Ｄ４で駆動する加速駆動を行うことを特徴とする請求項１８乃至２１のいずれか一項に記載の駆動方法。
【手続補正２】
【補正対象書類名】明細書
【補正対象項目名】発明の名称
【補正方法】変更
【補正の内容】
【発明の名称】駆動装置及び駆動方法
【手続補正３】
【補正対象書類名】明細書
【補正対象項目名】０００１
【補正方法】変更
【補正の内容】
【０００１】
本発明は、駆動及び駆動方法に関する。
【手続補正４】
【補正対象書類名】明細書
【補正対象項目名】００１３
【補正方法】変更
【補正の内容】
【００１３】
本発明の駆動装置は、エレクトロクロミック材料を含むエレクトロクロミック層が一対の電極間に配置されているエレクトロクロミック素子に対して、連続した駆動パルスを印加し、前記駆動パルスのデューティ比によって前記エレクトロクロミック素子の吸光度を変化させる駆動装置であって、
前記駆動パルスは、駆動電圧の印加期間と休止期間とを１周期とし、前記駆動電圧は、前記エレクトロクロミック材料の酸化反応と還元反応の少なくとも一方が生じる電圧であり、前記休止期間は、前記エレクトロクロミック素子を含む閉回路中に前記印加期間で接続される抵抗よりも大きな抵抗を直列に接続する期間であり、前記デューティ比は、前記１周期に占める前記印加期間の割合であり、
前記エレクトロクロミック素子の吸光度を目標の吸光度まで増加させる際に、該目標の吸光度を保持するデューティ比Ｄ１で駆動する通常駆動の前に、前記デューティ比Ｄ１よりも大きなデューティ比Ｄ２で駆動する加速駆動を行うことを特徴とする。
【手続補正５】
【補正対象書類名】明細書
【補正対象項目名】００１４
【補正方法】変更
【補正の内容】
【００１４】
また、本発明の駆動方法は、エレクトロクロミック材料を含むエレクトロクロミック層が一対の電極間に配置されているエレクトロクロミック素子に対して、連続した駆動パルスを印加し、前記駆動パルスのデューティ比によって前記エレクトロクロミック素子の吸光度を変化させる駆動方法であって、
前記駆動パルスは、駆動電圧の印加期間と休止期間とを１周期とし、前記駆動電圧は、前記エレクトロクロミック材料の酸化反応と還元反応の少なくとも一方が生じる電圧であり、前記休止期間は、前記エレクトロクロミック素子を含む閉回路中に前記印加期間で接続される抵抗よりも大きな抵抗を直列に接続する期間であり、前記デューティ比は、前記１周期に占める前記印加期間の割合であり、
前記エレクトロクロミック素子の吸光度を目標の吸光度まで増加させる際に、該目標の吸光度を保持するデューティ比Ｄ１で駆動する通常駆動の前に、前記デューティ比Ｄ１よりも大きなデューティ比Ｄ２で駆動する加速駆動を行うことを特徴とする。
【手続補正６】
【補正対象書類名】明細書
【補正対象項目名】００８４
【補正方法】変更
【補正の内容】
【００８４】
また、過渡状態の期間の制御は、加速駆動時の吸光度変化ΔＱの自乗と加速時間ｔの関係から一次近似された直線の傾きである（ΔＱ）2／ｔを予め取得する。そして、ＥＣ素子１の吸光度を、現在の吸光度から目標の吸光度に増加させる際に、吸光度の変化分に対して傾き（ΔＱ）2／ｔから対応する駆動時間ｔ1を算出し、加速駆動の期間ｔAをｔA≦ｔ1に設定することでも達成される。
【手続補正７】
【補正対象書類名】明細書
【補正対象項目名】０１２５
【補正方法】変更
【補正の内容】
【０１２５】
また、着色方向に加速駆動した時の吸光度変化ΔＱの自乗と加速時間ｔの関係から一次近似された直線の傾きである（ΔＱ）2／ｔから、現在の吸光度から目標の吸光度に増加させるのに必要な駆動時間ｔ1を算出する。そして、加速駆動の期間ｔAをｔA≦ｔ1に設定することでも達成される。